【手続補正書】
【提出日】平成17年2月15日(2005.2.15)
【手続補正１】
【補正対象書類名】特許請求の範囲
【補正対象項目名】全文
【補正方法】変更
【補正の内容】
【特許請求の範囲】
【請求項１】
回折顔料薄片であって、当該回折顔料薄片が、
反射面を有する第一材料の層と、
前記反射面の上に形成されている回折構造であって、前記回折構造が、少なくとも1つの1次以上の回折光ビームの強度と色コントラストを高めるために0次の回折光ビームの前記強度を低減させるように選択されたピッチと振幅を有する、回折構造と、
を有する、回折顔料薄片。
【請求項２】
前記回折顔料薄片の堅さを高めるために、前記第一材料よりも相当に高い弾性係数を有する第二材料の少なくとも1つの層をさらに有する、請求項1の顔料薄片。
【請求項３】
前記第二材料が、実質的に透明な誘電体材料を有する、請求項2の顔料薄片。
【請求項４】
実質的に透明な誘電体材料の層が、前記第一材料の層の裏表両面に配置されている、請求項1、 2または3の顔料薄片。
【請求項５】
前記誘電体材料が、約1.65またはそれ以下、好ましくは約1.5またはそれ以下の屈折率を有する、請求項4の顔料薄片。
【請求項６】
前記顔料薄片が、約1.5ミクロン未満の厚さを有する、請求項1〜5の何れかの顔料薄片。
【請求項７】
前記顔料薄片が、約50ミクロン未満、好ましくは約25ミクロン未満の幅を有する、請求項1〜6の何れかの顔料薄片。
【請求項８】
回折顔料薄片であって、当該薄片が、
第一主面と、反対側の第二主面と、少なくとも1つの側面とを有する、第一材料を有する、中心反射層と、
前記反射体層の前記第一主面を覆う誘電体材料を有する第一誘電体層と、
前記反射体層の前記第二主面を覆う第二誘電体層と、
を有し、
前記顔料薄片が、少なくとも約1,400格子列/mmと少なくとも約150 nmの格子深さを有する回折格子パターンを有する、
回折顔料薄片。
【請求項９】
前記反射体層が、約40 nm〜約200 nmの物理厚さを有する、請求項8の顔料薄片。
【請求項１０】
前記第一および第二誘電体層が、約1.65またはそれ以下の屈折率を有する誘電体材料を有する、請求項8または9の顔料薄片。
【請求項１１】
前記第一および第二誘電体層が、前記第一および第二主面のそれぞれの上に存在するが、前記反射体層の前記少なくとも1つの側面上には存在しない、請求項8、9または10の顔料薄片。
【請求項１２】
前記第一および第二誘電体層それぞれが、約1ミクロンまたはそれ以下の物理厚さを有する、請求項8〜11の何れかの顔料薄片。
【請求項１３】
前記回折格子パターンが、
約1400〜約3500格子列/mm、好ましくは約1400〜約2000格子列/mmと、
約150 nm〜約230 nm、好ましくは約160 nm〜約220 nmの格子深さと、
を有する、請求項8〜12の何れかの顔料薄片。
【請求項１４】
前記第一および第二誘電体層が、前記反射体層を実質的に囲む連続する誘電体層の一部を形成する、請求項8〜13の何れかの顔料薄片。
【請求項１５】
前記顔料薄片が、約500 nm〜約1400 nmの物理厚さを有する、請求項8〜14の何れかの顔料薄片。
【請求項１６】
前記第一材料が、アルミニウム、銀、銅、金、白金、錫、チタン、パラジウム、ニッケル、コバルト、ロジウム、ニオビウム、クロムと、これらの化合物、組み合わせ、または合金から成るグループから選択される、請求項1〜15の何れかの顔料薄片。
【請求項１７】
前記誘電体材料が、フッ化マグネシウム、二酸化ケイ素、酸化アルミニウム、フッ化アルミニウム、フッ化セリウム、フッ化ランタン、フッ化ネオジム、フッ化サマリウム、フッ化バリウム、フッ化カルシウム、フッ化リチウムと、これらの組み合わせから成るグループから選択される、請求項1〜16の何れかの顔料薄片。
【請求項１８】
回折顔料薄片であって、当該薄片が、
第一面と、反対側の第二面とを有する反射層と、
前記第一面または第二面の少なくとも一方の上の回折構造であって、前記回折構造が、少なくとも約1400列/mmのピッチと、少なくとも約150 nmの表面深さの変化によって与えられる振幅とを有する、回折構造と、
を有する回折顔料薄片。
【請求項１９】
前記回折構造の前記ピッチが、約2000列/mmまたはそれ以下であり、かつ前記表面深さの前記変化が、約220 nmまたはそれ以下である、請求項18の顔料薄片。
【請求項２０】
回折顔料薄片であって、当該薄片が、
第一面と、反対側の第二面とを有する反射層と、
前記第一面と第二面の一方または両方の少なくとも一部の上の回折構造であって、前記回折構造が、前記1次および2次の回折光ビームにおいて約400 nm〜約800 nmの波長の角度的な重なりが存在しないように、1次および2次の回折光ビームを角度的に離すことのできる、回折構造と、
を有する回折顔料薄片。
【請求項２１】
回折顔料薄片であって、当該薄片が、
第一面と、反対側の第二面とを有する反射層と、
前記第一面と第二面の一方または両方の少なくとも一部の上の回折構造であって、前記回折構造が、垂直入射において1次の強度に対する0次の強度の比が少なくとも約0.25であり、かつ、0次と1次の回折光ビーム間の角度的な分離が少なくとも約30度であることを特徴とする、回折構造と、
を有する回折顔料薄片。
【請求項２２】
回折顔料薄片であって、当該薄片が、
第一面と、反対側の第二面とを有する反射層と、
前記第一面と第二面の一方または両方の少なくとも一部の上の回折構造であって、前記回折構造が、0次と1次の反射を角度的に少なくとも約30度分離させる、回折構造と、
を有する回折顔料薄片。
【請求項２３】
誘電体材料の少なくとも1層をさらに有する、請求項18〜22の何れかの顔料薄片。
【請求項２４】
前記反射層が、アルミニウムを有し、かつ前記誘電体材料が、フッ化マグネシウムを有する、請求項23の顔料薄片。
【請求項２５】
回折組成物であって、当該組成物が、
顔料媒体と、
前記顔料媒体内に分散されている請求項1〜24の何れかに記載の複数の回折顔料薄片と、
を有する回折組成物。
【請求項２６】
前記顔料媒体が、アクリルメラミン、ウレタン、ポリエステル、ビニル樹脂、アクリル酸塩、メタクリル酸メチル、ABS樹脂、エポキシ、スチレン、アルキド樹脂をベースとするインクおよび塗料調合物と、これらの混合物から成るグループから選択される材料を有する、請求項25の組成物。
【請求項２７】
前記回折顔料薄片が、凹版印刷、リソグラフィー、シルクスクリーン、グラビア、ドクターブレード、およびウェットコーティングから成るグループから選択される印刷工程において使用するために好適な、前記顔料媒体中におけるあらかじめ選択されたサイズとローディングとを有する、請求項25の組成物。
【請求項２８】
前記組成物が、インクまたは塗料、好ましくは自動車の塗料を有する、請求項25の組成物。
【請求項２９】
前記顔料媒体が、化粧品調合品または成形もしくは押出加工することのできるプラスチック材料である、請求項25の組成物。
【請求項３０】
前記顔料媒体内に分散された複数の非回折顔料薄片をさらに有する、請求項25の組成物。
【請求項３１】
コーティングされた物品であって、当該物品が、
表面を有する物体と、
前記表面の少なくとも一部を覆う回折コーティング層であって、前記コーティング層が、請求項25〜30の何れかに記載の回折組成物を有する、回折コーティング層と、
を有するコーティングされた物品。
【請求項３２】
前記回折コーティング層の下に下地コーティング層または非回折コーティング層をさらに有する、請求項31のコーティングされた物品。
【請求項３３】
前記回折コーティング層を覆う透明な上面コーティング層または非回折コーティング層をさらに有する、請求項31または32のコーティングされた物品。
【請求項３４】
前記コーティングされた物品が、自動車またはセキュリティ文書である、請求項31、32、または33のコーティングされた物品。